(57)【要約】      （修正有）【課題】簡単な操作で種々の形状や大きさの品物を個別に仕切ることができ、材質的な違和感による見栄えの問題も解消できる仕切り部材を提供する。【解決手段】ロール状態から必要な長さを繰り出され、繰り出し方向に所定の間隔で設けられたミシン目７の部分で切り離されると、カール性によって自動的に筒状にくるまる。筒状にくるまった仕切り部材１ａをそのまま、例えばケーキ９の上から被せ、他のケーキとの接触が起こらないように区画する。仕切る対象物品の大きさに応じて繰り出し長さを変える。【選択図】図４
0003213442.tif 000002
【実用新案登録請求の範囲】
【請求項１】
未使用時にはロール状をなし、使用時にはロール状態から必要な長さを繰り出して切り離され切り離された際にくるまって筒状となることを特徴とする仕切り部材。
【請求項２】
請求項１に記載した仕切り部材において、
繰り出し方向に間隔をおいて複数の切込み部が形成され、１つの切込み部における切り起こし片を他の切込み部に挿し込むことによって筒状の径の大きさを任意に設定できることを特徴とする仕切り部材。
【請求項３】
請求項２に記載した仕切り部材において、
繰り出し方向に所定の間隔で切り離し用の切れ目がライン状に形成され、前記切れ目の近傍に前記切込み部が設けられていることを特徴とする仕切り部材。
【請求項４】
請求項３に記載した仕切り部材において、
前記切込み部が半円形状をなし、繰り出し方向における前記切れ目の両側に線対称に設けられていることを特徴とする仕切り部材。
【請求項５】
請求項３または４に記載した仕切り部材において、
前記切れ目がミシン目であることを特徴とする仕切り部材。
【考案の詳細な説明】
【技術分野】
【０００１】
本考案は、例えば包装用箱の底面上に配置された複数のケーキ（生菓子）が互いに接触したり押し合ったりして潰れるのを防止するために用いる仕切り部材に関するものである。
【背景技術】
【０００２】
包装用箱の底面上に複数種類のケーキを密接状態に並べると、持ち運ぶ間に隣り合うケーキ同士が接触したり押し合ったりして潰れてしまうおそれがある。
【０００３】
饅頭等の菓子を区画して仕切る仕切り部材としては、特許文献１に開示されているように、箱内で複数の仕切り片を直交させて一定形状の収容スペースを複数作る方法が知られている。しかしながら形や大きさが異なるケーキ等の品物を皿等の上で個別に区画する仕切り部材としては利用できない。
このような場合、紙やプラスチック製の一定長さのシート材を予め用意しておき、筒状に丸めて粘着テープで止めて筒状の仕切り部材として用いることも行われている。また、粘着テープを使わずに、シート材に形成した切込み部の切り起こし片を他の切込み部に挿し込んで筒状に固定することも行われている。
【先行技術文献】
【特許文献】
【０００４】
【特許文献１】実用新案登録第３０４８４５３号
【考案の概要】
【考案が解決しようとする課題】
【０００５】
一定長さのシート材を筒状に丸めて粘着テープで止める方法では、止める操作が面倒であるとともに、仕切り部材と異なる材質の粘着テープが目に触れるため、材質的な違和感によって見栄えが損なわれるという問題があった。
一方、切り起こし片で止める構成ではこのような材質的な違和感の問題はないが、一定長さのシート材を筒状に曲げて止める作業が必要であり面倒であった。また、一定長さのシート材を予め用意しておく方法はシート材の積載スペースが必要であるとともに、仕切り対象物品が大きい場合には対応できないこともある。これを予定して全てのシート材の長さを大きくすると、無駄が多くなる。
【０００６】
本考案は上記従来の問題点に着目して為されたものであり、簡単な操作で種々の形状や大きさの品物を個別に仕切ることができ、材質的な違和感による見栄えの問題も解消できる仕切り部材の提供を、その目的とする。
【課題を解決するための手段】
【０００７】
本考案は、上記目的を達成するために為されたものであり、請求項１の考案は、未使用時にはロール状をなし、使用時にはロール状態から必要な長さを繰り出して切り離され切り離された際にくるまって筒状となることを特徴とする仕切り部材である。
【０００８】
請求項２の考案は、請求項１に記載した仕切り部材において、繰り出し方向に間隔をおいて複数の切込み部が形成され、１つの切込み部における切り起こし片を他の切込み部に挿し込むことによって筒状の径の大きさを任意に設定できることを特徴とする仕切り部材である。
【０００９】
請求項３の考案は、請求項２に記載した仕切り部材において、繰り出し方向に所定の間隔で切り離し用の切れ目がライン状に形成され、前記切れ目の近傍に前記切込み部が設けられていることを特徴とする仕切り部材である。
【００１０】
請求項４の考案は、請求項３に記載した仕切り部材において、前記切込み部が半円形状をなし、繰り出し方向における前記切れ目の両側に線対称に設けられていることを特徴とする仕切り部材である。
【００１１】
請求項５の考案は、請求項３または４に記載した仕切り部材において、前記切れ目がミシン目であることを特徴とする仕切り部材である。
【考案の効果】
【００１２】
本考案によれば、簡単な操作で種々の形状や大きさの品物を個別に仕切ることができ、材質的な違和感による見栄えの問題も解消できる仕切り部材を提供することができる。
【図面の簡単な説明】
【００１３】
【図１】本考案の第１の実施の形態に係る仕切り部材の未使用時の状態を示す斜視図である。
【図２】図１で示したロール状の仕切り部材から必要な長さを引き出して切り離した使用時の仕切り部材における一部省略の展開図である。
【図３】使用時の仕切り部材のカール性によるくるまり状態を示す斜視図である。
【図４】筒状にくるまった仕切り部材の使用状態を示す斜視図である。
【図５】本考案の第２の実施の形態に係る仕切り部材の未使用時の状態を示す斜視図である。
【図６】図５で示したロール状の仕切り部材から必要な長さを引き出して切り離した使用時の仕切り部材における一部省略の展開図である。
【図７】筒状にくるまった仕切り部材の筒径の固定方法を説明するための斜視図である。
【図８】図７の状態の概要平面図である。
【図９】図７の状態から切込み部を利用して筒径を固定した状態の平面図及び固定部の拡大図である。
【図１０】仕切り部材の使用例を示す斜視図である。
【図１１】仕切り部材の他の使用例を示す斜視図である。
【考案を実施するための形態】
【００１４】
以下、本考案の実施の形態について図を参照して説明する。
まず、図１から図４を参照して第１の実施の形態を説明する。図１は、本実施の形態に係る仕切り部材１を示している。
仕切り部材１はロール状に巻回された厚紙によって構成されるシート材５を有している。シート材５の幅（高さ）ｈは、ケーキ等の品物を仕切る機能と品物の外観を阻害しない（隠し過ぎない）観点から適宜に設定される。ロール状の仕切り部材１は未使用時の状態であり、換言すれば、仕切り部材１は複数の仕切り部材が連なった集合体である。
【００１５】
使用時には、ロール状態から繰り出して仕切り対象物品の大きさに対応した任意の長さ（必要な長さ）Ｗで切り離される。シート材５には切り離し用の切れ目としてのミシン目７が繰り出し方向（矢印方向）に等間隔に、且つ、繰り出し方向と直交する方向にライン状（直線状）に入れられており、ミシン目７の部位で簡単に切り離せるようになっている。
図２に示すように、シート材５は、対象となるケーキ等の品物の大きさに応じて目測による必要な長さＷが繰り出されてミシン目７のところで切り離される。
【００１６】
シート材５は図４に示すように、筒状となったときに外側となる表面５ａと、内側となる裏面５ｂとを有している。
シート材５は必要な長さＷに切り離されると、図３に示すように、そのカール性によって自動的にくるまり（丸まり）、円筒状またはそれに近い筒状となり、使用時の仕切り部材１ａとなる。カール性は、ロール状に巻回すことにより付与される。
【００１７】
本実施の形態に係る仕切り部材１は、シート材５のカール性を利用し、そのカール性によって自動的に得られた筒状をそのまま仕切り部材として使うことを特徴としている。
すなわち、従来においては一定長さのシート材を筒状に曲げる操作が必要であるが、本実施の形態に係る仕切り部材１は、適当な長さに切り離した際に自動的にくるまって筒状となるため、曲げる操作が不要であり、面倒さが無い。
図４に示すように、くるまった際に繰り出し方向の先端部と後端部とがほぼ一致するか、あるいは一部で重なる程度の長さにすれば、切り離した際に筒状の仕切り部材１ａが完成する。従って、筒状を維持するための粘着テープによる止め操作は要らない。
【００１８】
図４に示すように、筒状となった仕切り部材１ａを例えばケーキ９の上方から被せることにより、ケーキ９の周囲を覆って他のケーキと干渉しないように仕切ることができる。
この場合、ミシン目７の部分を利用して軽い折り目を付け、円筒状をケーキ９の形状（直方体状）に沿った形状にすれば、スペース的に無駄の無い仕切り部材とすることができる。勿論、円筒状のままで覆ってもよい。ミシン目７は必ずしも必要ではなく、必要な長さＷを繰り出したところでハサミや手で切り離すようにしてもよい。
ロール状態から必要な長さＷを繰り出して使用することができるので、如何なるサイズの品物にも無駄なく対応できる。また、従来のように一定長さのシート材を積載等する方式に比べて保管スペースも少なくて済む利点を有している。
【００１９】
図５から図９を参照して、本考案の第２の実施の形態を説明する。なお、上記の実施の形態と同一部分は同一符号で示し、既にした構成上及び機能上の説明は適宜省略する。
図５に示すように、本実施の形態におけるロール状の仕切り部材１１では、繰り出し方向におけるミシン目７の両側に、半円形状の切込み部１３が線対称に設けられている。各切込み部１３においてその内方は、シート材５の表面側または裏面側に起こすことにより切り起こし片１５となる。
図６に示すように、印刷層としての表面５ａには、感謝の意を表す「ありがとうございました」の文字と、「Thank you」の文字が上下に分けて印刷されている（他の図では省略）。これらの印刷文字はあくまでも一例である。
ロール状態から必要な長さＷで切り離されたシート材５は、そのカール性によって自動的に筒状にくるまり、使用時の仕切り部材１１ａとしてなる。
【００２０】
図７に示すように、本実施の形態では、切り起こし片１５を使って筒状の径の大きさを任意に設定（固定）することができる。すなわち、必要な長さＷを繰り出して切り離した際にカール性によって自動的に筒状が得られるが、その筒状の径の大きさを任意に変更して仕切り対象物品の形状に適した径に調整することができる。換言すれば、例えば目測による繰り出し長さが大きすぎた場合に筒状を小さくしたいとき、シート材５のカール性による戻りをロックすることができる。
【００２１】
図７では、シート材５の先端５ｃ側に位置する切り起こし片１５を、シート材５の後端５ｄから数えて３つ目の切込み部１３に挿し込んで止める例を示している。図８は図７の仕切り部材１１ａを上から見た図であり、自然にくるまった状態から筒径を小さくする例である。図８及び図９では、説明上、必要な切込み部１３及び切り起こし片１５のみ示している。
【００２２】
シート材５の先端５ｃに最も近い切り起こし片１５を内側に起こし、この切り起こし片１５をシート材５の後端５ｄから数えて３つ目の切込み部１３に挿し込むと、図９に示す状態となる。その部分拡大図から明らかなように、外側の切込み部１３ａの切り起こし片１５ａが内側の切込み部１３ｂに挿し込まれると、相対的に内側の切込み部１３ｂの切り起こし片１５ｂが外側に起こされて内側の切り起こし片１５ａと重なる。
この係合によって仕切り部材１１ａは矢印方向（径を大きくする方向）に固定されたすなわちロックされた状態となる。切り起こし片１５による筒径の固定は、シート材５の繰り出し方向における先端部が内側となり後端部が外側となる筒状においても同様に行える。
【００２３】
切り起こし片１５を切り起こす位置及びこれを挿入する切込み部１３の位置を適宜選択することにより、カール性による丸まりに逆らって筒径の大きな状態で止めることもでき、上記のように縮径状態からのカール性による戻り力、すなわちシート材の弾性による筒径の拡がりを止めることもできる。粘着テープのような異質の材料で止める構成ではないので、使用時の材質的な違和感も生じない。
本実施の形態では切込み部１３を、ミシン目７を基準に線対称に設ける構成としたが、ミシン目７の繰り出し方向における一方側のみに設けてもよい。線対称に設ける構成とした場合、どの位置のミシン目７で切り離してもロック片としての切り起こし片及びその挿し込み部を得ることができる利点がある。
また、ミシン目７を設けずに切込み部のみを設ける構成としてもよい。
【００２４】
図１０は、仕切り部材１１ａの使用状態を示している。包装用箱の底面１７上には複数種類のケーキ１９ａ、１９ｂ、１９ｃ、１９ｄ、１９ｅ、１９ｆが、ナプキン２１と共に配置されている。他のケーキとの干渉によって型崩れし易いケーキ１９ａ、１９ｅ、１９ｆは仕切り部材１１ａで仕切られている。このように全てのケーキを仕切る必要はなく、必要に応じて適宜仕切ればよい。なお、図１０において、仕切り部材１１ａのミシン目や切込み部はその表示を省略している。
【００２５】
仕切り部材１ａや１１ａの使用態様は、ケーキ等の品物を囲むように仕切る態様に限定されない。例えば図１１に示すように、箱２３に入れられた生菓子２５ａ、２５ｂの間を区画する仕切り部材としてスペーサ的に使用することもできる。すなわち、生菓子２５ａ、２５ｂ同士の直接的な接触を防止する観点や、空白スペースを埋めて持ち運び時の生菓子２５ａ、２５ｂの位置ずれを防止する観点からの利用が可能である。図１１において、符号２７は保冷剤を示している。
【００２６】
上記の各実施の形態では、ケーキ等の生菓子の仕切り部材としての利用例を説明したが、本考案はこれに限定されない。例えば広い面積の賄い台上に多数の食品を載せる場合の一時的な仕切り部材としても利用でき、食品以外の物品の仕切り部材または緩衝材としても利用することができる。
【００２７】
以上、本考案の実施の形態について詳述してきたが、具体的構成は、上記の各実施の形態に限定されるものではなく、本考案の趣旨を逸脱しない範囲における設計の変更があっても考案に含まれる。
例えば、ロール状態から切り離すための切れ目としてはミシン目に限らず、１つまたは複数のスリットを形成してもよい。また、切れ目の形状は繰り出し方向と直交する直線状に限らず斜めや湾曲状にしてもよい。
また、第２の実施形態における切込み部１３は、シート材５の高さ方向において２段（２列）に設けてもよく、更に半円形に限らず互いに係合することができる形状であれば、如何なる形状であってもよい。
また、裏面５ｂに合成樹脂層を設けた構成にしてもよく、このような構成とすることで、水分の多い生菓子と接触した場合に水分を吸収して表面５ａの印刷インクが裏面に滲む等の問題を防止できる。
【符号の説明】
【００２８】
１、１ａ、１１、１１ａ…仕切り部材        ５ａ…表面          ５ｂ…裏面
７…切れ目としてのミシン目              １３…切込み部      １５…切り起こし片
【図１】
0003213442.tif 000003
【図２】
0003213442.tif 000004
【図３】
0003213442.tif 000005
【図４】
0003213442.tif 000006
【図５】
0003213442.tif 000007
【図６】
0003213442.tif 000008
【図７】
0003213442.tif 000009
【図８】
0003213442.tif 000010
【図９】
0003213442.tif 000011
【図１０】
0003213442.tif 000012
【図１１】
0003213442.tif 000013